(57)【要約】【課題】決済端末装置に搭載のプリンタに組み込まれている通常の印字用紙ガイドローラをそのまま用い、これに簡単な接地部材を巧みに組合せることでロール紙に帯電した静電気をプリンタへの給紙経路の途上で除電できるようにする。【解決手段】本体ケース１にキーボード２，表示部３，およびロール紙印字プリンタ４を搭載した決済端末装置で、前記プリンタがロール紙５から繰出した印字用紙５ａをプリンタヘッド４ａに送る給紙経路にガイドローラ６を備えたものにおいて、前記ガイドローラを導電性のローラとするとともに、プリンタにはガイドローラと導電接触する接地部材を併設して印字用紙５ａに帯電した静電気をガイドローラ，接地部材を通じて除電するよう構成するものとし、その具体的な構造では、前記ガイドローラのローラ軸６ａ一端を軸支してプリンタの組立フレーム４ｃに固定するローラ取付金具７を接地部材と兼用し、該ローラ取付金具にアース線８を接続する。【選択図】        図１
2007090556.tif 000002
【特許請求の範囲】
【請求項１】
本体にキーボード，表示部，およびロール紙印字プリンタを搭載した決済端末装置であり、前記プリンタが、ロール紙から繰出した印字用紙をプリンタヘッドに導くガイドローラを備えたものにおいて、
前記ガイドローラを導電性のローラとし、かつプリンタには前記ガイドローラと導電接触する接地部材を併設したことを特徴とする決済端末装置。
【請求項２】
請求項１記載の決済端末装置において、ガイドローラのローラ軸一端を軸支してプリンタの組立フレームに固定したローラ取付金具を接地部材と兼用し、該ローラ取付金具にアース線を接続したことを特徴とする決済端末装置。
【発明の詳細な説明】
【技術分野】
【０００１】
本発明は、店舗用の決済端末装置に関し、詳しくは決済端末装置に搭載したロール紙印字プリンタに対する静電気対策の構造に係わる。
【背景技術】
【０００２】
電子マネー等による電子決済システムの端末として頭記の決済端末装置が周知であり、店舗向けの決済端末装置には、キーボード，表示部のほかに、決済内容の明細（レシート）を発行するロール紙印字プリンタ（ラインサーマルプリンタ）を搭載している。
このロール紙印字プリンタ（以下、単に「プリンタ」と呼称する）は、ロール紙から繰出した印字用紙（感熱紙）をプリンタのプリンタヘッド（サーマルヘッド）に給紙して印字するものであり、プリンタヘッドにはその制御回路にＩＣが組み込まれていることから、ＩＣの静電破壊を避けるためにも十分な静電気対策が必要である。
これに対して，ロール紙からプリンタモジュールに給紙する印字用紙は静電気を帯電することが多いことから、印字用紙に帯電した静電気をプリンタヘッドへ送る手前で除去する除電対策が必要となる。
【０００３】
一方、印字用紙に帯電した静電気の除電対策として、印字用紙の給紙経路に配した搬送ローラ（ゴムモールドローラ）に金属材の静電対策プレートを埋設し、このプレートを搬送ローラの軸を介して接地するようにしたもの（例えば、特許文献１参照）、あるいは一般的なロール紙の供給装置に静電気除去部材を組み込んだ構成（例えば、特許文献２）が知られている。
【特許文献１】特開平５−１４７３１６号公報
【特許文献２】特開２００５−６９６７号公報
【発明の開示】
【発明が解決しようとする課題】
【０００４】
ところで、先記の特許文献１，特許文献２に開示されているロール紙の静電気除去手段はいずれも搬送ローラが特殊な構造であることから、この特殊構造の搬送ローラを決済端末装置のプリンタに採用すると、通常の搬送ガイドローラに較べてコスト高となって決済端末装置が高価となる。
本発明は上記の点に鑑みなされたものであり、特許文献１，２のように静電気の除電対策を施した特殊構造の搬送ローラを用いることなく、プリンタに組み込まれている通常のガイドローラをそのまま用い、これに簡単な接地部材を巧みに組合せることでロール紙に帯電した静電気をプリンタへの給紙経路の途上で除電できるようにした決済端末装置を提供することを目的とする。
【課題を解決するための手段】
【０００５】
上記目的を達成するために、本発明によれば、本体にキーボード，表示部，およびロール紙印字プリンタを搭載した決済端末装置で、前記プリンタがロール紙から繰出した印字用紙をプリンタヘッドに送る給紙経路にガイドローラを備えたものにおいて、
前記ガイドローラを導電性のローラとするとともに、プリンタには前記ガイドローラと導電接触する接地部材を併設し、印字用紙に帯電した静電気を前記ガイドローラ，接地部材を通じて除電するよう構成するものとし（請求項１）、その具体的な態様として、前記ガイドローラのローラ軸一端を軸支してプリンタの組立フレームに固定したローラ取付金具を接地部材と兼用し、該ローラ取付金具にアース線を接続する（請求項２）。
【発明の効果】
【０００６】
上記の構成によれば、ロール紙から繰出す印字用紙に帯電した静電気を、その給紙経路途上に配した導電性のガイドローラ，接地部材を通じて除電することができる。しかも、ガイドローラのローラ軸一端を軸支するローラ取付金具を接地部材と兼用させ、この取付金具に接地線を接続することで、先記した特許文献１，２に開示されているような特殊構造の搬送ローラを採用することなく、通常のガイドローラをそのまま使用した低コストの構造でプリンタの静電気対策を講じることができる。
【発明を実施するための最良の形態】
【０００７】
以下、本発明の実施の形態を図１，図２に示す実施例に基づいて説明する。なお、図１は決済端末装置全体の構成概要図、図２は図１のプリンタにおけるガイドローラの詳細な組立構造図である。
先ず、図１において、１は下部ケース１ａ，上部カバー１ｂからなる決済端末装置の本体ケース、２は上部カバー１ａの上面に配備したキーボード、３はキーボード２の背後に配置した表示部（液晶ディスプレイ）、４はプリンタ（ラインサーマルプリンタ）、５は下部ケース１ａに収納したロール紙（感熱ロール紙）である。また、前記プリンタ４はプリンタヘッド４ａ，プラテンローラ４ｂを組立フレーム４ｃ（樹脂成形品）に装備し、さらに組立フレーム４ｃの下端側にはロール紙５から繰り出した印字用紙５ａをプリンタヘッド４ａに導くガイドローラ６を備えている。
【０００８】
ここで、前記ガイドローラ６はアルミなどの導電材で作られており、そのローラ軸の一端は次記（図２）のように接地部材兼用のローラ取付金具７に軸支（導電接触）して組立フレーム４ｃに組み付け、さらにローラ取付金具７にはアース線８を接続してガイドローラ６を接地するようにしている。
すなわち、図２において、ガイドローラ６の上方にはローラ取付金具７が組立フレーム４ｃに締結ネジ９で固着されており、このローラ取付金具７の一端（右側端）にはＬ形に屈曲して前方に突き出す軸受部７ａが形成されている。そして、ガイドローラ６は両端の支軸６ａの一方を前記取付金具７の軸受部７ａに嵌合して軸支し、他方をプリンタの組立フレーム４ｃ（樹脂製）に設けた軸受に直接嵌合して回転自在に軸支するようにしている。そして、ローラ取付金具７にはアース線８が接続されている。
【０００９】
上記の構成によれば、導電性のガイドローラ６がローラ取付金具７，アース線８を介して電気的に接地される。したがって、決済端末装置の実使用状態で、ロール紙５から繰出した印字用紙５ａに帯電した静電気は、印字用紙５ａをプリンタ４のプリンタヘッド４ａに送る給紙経路の途上でその紙面に接触するガイドローラ６からローラ取付金具７，アース線８を通じてアース側に除電される。これにより、プリンタ４のプリンタヘッド４ａに組み込んだＩＣをロール紙の帯電による静電破壊から安全に保護できる。
しかも、ガイドローラ６の取付金具７を接地部材と兼用させることで、ガイドローラ６には静電気対策施した特別構造のローラ（特許文献１，２参照）を採用することなく、通常のガイドローラをそのまま使用した簡易な構造でロール紙５に帯電した静電気をプリンタ４への給紙経路途上で除電処理することができる。
【図面の簡単な説明】
【００１０】
【図１】本発明の実施例による決済端末装置の全体の構成概要図
【図２】図１のプリンタに備えたガイドローラの組立構造を表す斜視図
【符号の説明】
【００１１】
１    決済端末装置の本体ケース
２    キーボード
３    表示部
４    ロール紙印字プリンタ
４ａ  プリンタヘッド
４ｃ  組立フレーム
５    ロール紙
５ａ  印字用紙
６    ガイドローラ
６ａ  ローラ軸
７    接地部材兼用のローラ取付金具
７ａ  軸受部
８    アース線
【図１】
2007090556.tif 000003
【図２】
2007090556.tif 000004